(57)【要約】      （修正有）【課題】難聴者や健聴者に対して個人の聴力特性、音環境に応じた聴力に対応した音の補正を実現する。【解決手段】補聴器、電話やオーディオ機器聴取者の最適聴取環境を周波数特性から調整するために、聴取者自身が簡単に調整可能な周波数特性設定ラインを設けておき、音声入力をこの周波数設定ラインを参照してユーザーに最適な聴取環境を実現する音声に周波数調整し変換する聴力適合化装置、処理方法。【選択図】  図１
2008042787.tif 000002
【特許請求の範囲】
【請求項１】
入力音声信号を周波数別にゲイン調整を行うために予め高周波部分を強調するハイブースト周波数特性設定ラインと低周波部分を強調するローブースト周波数特性設定ラインを設けておき前記入力音声を２つに分割し、前記ハイブースト周波数特性設定ラインに基づいて高周波部分を強調処理するハイブースト音声信号処理と前記ローブースト周波数特性設定ラインに基づいて低周波部分を強調処理するローブースト音声信号処理の2つを音声信号処理行う音声信号処理生成手段を有し前記入力音声信号を前記音声信号処理生成手段により生成した２つの音声信号を合成して音声出力とする合成音声出力手段を有することを特徴とする聴力適合化装置、聴力適合化方法
【請求項２】
前記ハイブースト周波数特性設定ラインとローブースト周波数特性設定ラインの２つの特性設定ラインを1対の調整手段で相補的に調整するハイブースト周波数特性設定ライン、ローブースト周波数特性設定ライン同時相補一括調整手段を有することを特徴とする特許請求範囲第1項記載の聴力適合化装置、聴力適合化方法
【請求項３】
前記ハイブースト周波数特性設定ラインとローブースト周波数特性設定ラインは所定の周波数で交差させ、前記交差した点を中心基準としてハイブースト周波数特性設定ラインとローブースト周波数特性設定ラインの両者の傾きを変化させることにより同時相補一括調することを特徴とする特許請求範囲第２項記載の聴力適合化装置、聴力適合化方法
【請求項４】
前記ハイブースト周波数特性設定ラインとローブースト周波数設定特性ラインの交差所定周波数は５００Ｈｚから２ｋＨｚであることを特徴とする特許請求範囲第３項記載の聴力適合化装置、聴力適合化方法
【請求項５】
前記相補的にハイブースト周波数特性設定ライン、ローブースト周波数特性設定ラインを同時に調整する調整手段は前記ハイブースト周波数特性設定ライン、ローブースト周波数特性設定ラインを所定の周波数で交差された交点を中心に該ハイブースト周波数特性設定ライン、ローブースト周波数特性設定ラインをそれぞれ対称に傾き調整することを特徴とする特許請求範囲第３項記載の聴力適合化装置、聴力適合化方法
【請求項６】
前記入力音声信号を分析し入力音声状況を記憶しておく入力音声分析記憶手段を有し、さらにユーザーが前記調整手段を使用して調整したハイブースト周波数特性設定ライン及びローブースト周波数特性設定ラインの傾きを前記入力音声分析記憶手段と同時に記憶する入力音声状況・ハイブースト・ローブースト周波数特性設定ライン傾き記憶手段を有し、入力音声を分析し前記入力音声状況・ハイブースト・ローブースト周波数特性設定ライン傾き記憶手段から該当する入力音声状況と同様の音声状況パターンを選択し、ユーザーの調整なしに前記ハイブースト・ローブースト周波数特性設定ライン傾き決定する自動ハイブースト・ローブースト周波数特性設定ライン傾き調整手段を有していることを特徴とする特許請求範囲第３項記載の聴力適合化装置、聴力適合化方法
【請求項７】
前記自動ハイブースト・ローブースト周波数特性設定ライン傾き調整手段は学習機能を有していることを特徴とする特許請求範囲第６項記載の聴力適合化装置、聴力適合化方法
【請求項８】
前記入力音声信号を分析する分析手段は周波数分析であることを特徴とする特許請求範囲第６項記載の聴力適合化装置、聴力適合化方法
【請求項９】
前記入力音声信号を分析し入力音声状況を把握する入力音声分析手段、所定の入力音声状況に対応するハイブースト周波数特性設定ラインとローブースト周波数特性設定ラインの傾きを予め記憶している音声状況対応ハイブースト・ローブースト周波数特性設定ラインの傾き記憶手段を有していることを特徴とする特許請求範囲第３項記載の聴力適合化装置、聴力適合化方法
【請求項１０】
前記入力音声信号を分析する分析手段は周波数分析であることを特徴とする特許請求範囲第９項記載の聴力適合化装置、聴力適合化方法
【請求項１１】
入力音声信号を周波数別にゲイン調整を行うために予め周波数特性設定ラインを設けておき、前記入力音声信号を前記周波数特性設定ラインに基づいて音声信号をゲイン処理する音声信号処理生成手段を有していることを特徴とする聴力適合化装置、聴力適合化方法
【請求項１２】
前記周波数特性設定ラインは所定の周波数を中心基準に傾きを変化させることによって調節する調整手段を有することを特徴とする特許請求範囲第１１項記載の聴力適合化装置、聴力適合化方法
【請求項１３】
前記所定の周波数は５００Ｈｚから２ｋＨｚであることを特徴とする特許請求範囲第１２項記載の聴力適合化装置、聴力適合化方法
【請求項１４】
前記入力音声信号を分析し入力音声状況を記憶しておく入力音声分析記憶手段を有し、さらにユーザーが前記調整手段を使用して調整した周波数特性設定ラインの傾きを前記入力音声分析記憶手段と同時に記憶する入力音声状況・周波数特性設定ライン傾き記憶手段を有し、入力音声を分析し前記入力音声状況・周波数特性設定ライン傾き記憶手段から該当する入力音声状況を選択し、ユーザーの調整なしに前記周波数特性設定ライン傾き決定する自動周波数特性設定ライン傾き調整手段を有していることを特徴とする特許請求範囲第１２項記載の聴力適合化装置、聴力適合化方法
【請求項１５】
前記自動周波数特性設定ライン傾き調整手段は学習機能を有していることを特徴とする特許請求範囲第１４項記載の聴力適合化装置、聴力適合化方法
【請求項１６】
前記入力音声信号を分析する分析手段は周波数分析であることを特徴とする特許請求範囲第１４項記載の聴力適合化装置、聴力適合化方法
【請求項１７】
前記入力音声信号を分析し入力音声状況を把握する入力音声分析手段、所定の入力音声状況に対応する周波数特性設定周波数特性設定ラインの傾きを予め記憶している音声状況対応周波数特性設定ラインの傾き記憶手段を有していることを特徴とする特許請求範囲第１２項記載の聴力適合化装置、聴力適合化方法
【請求項１８】
前記入力音声信号を分析する分析手段は周波数分析であることを特徴とする特許請求範囲第９項記載の聴力適合化装置、聴力適合化方法
【請求項１９】
前記聴力適合化装置、聴力適合化方法は補聴器に適用されることを特徴とする特許請求範囲第２項あるいは１２項記載の聴力適合化装置、聴力適合化方法
【請求項２０】
前記調整手段は音声出力調整手段と独立でコントロール可能であり、前記音声出力調整手段と前記調整手段は同じ機械的調整装置で調整され前記機械的調整装置は前記音声出力調整手段あるいは、前記調整手段を選択する音声出力調整手段、周波数調整選択する機械調整選択手段を備えることを特徴とする第１９項記載の聴力適合化装置
【請求項２１】
前記補聴器は耳に設置される一体構造であり、前記調整手段は前記一体構造に設けられていることを特徴とする第１９項記載の聴力適合化装置
【請求項２２】
前記補聴器はリモート部と耳設置部に分かれており前記リモート部と前記耳設置部は有線あるいは近距離無線通信で結ぶ通信手段を有しており、前記調整手段は前記リモート部に設けられていることを特徴とする特許請求範囲第第１９項記載の聴力適合化装置
【請求項２３】
前記聴力適合化装置、聴力適合化方法は通話通信手段に適用されることを特徴とする特許請求範囲第1項あるいは１１記載の聴力適合化装置、聴力適合化方法  
【請求項２４】
前記通話通信手段は電話であることを特徴とする特許請求範囲第２３項記載の聴力適合化装置、聴力適合化方法
【請求項２５】
前記聴力適合化装置と前記通信手段と一体構造であり、前記調整手段は前記一体構造に設けられていることを特徴とする特許請求範囲第２３項記載の聴力適合化装置
【請求項２６】
前記聴力適合化装置は前記通話通信手段と分かれており前記聴力適合化装置と前記通話通信手段の間は有線あるいは近距離無線通信手段で通信されていることを特徴とする特許請求範囲第２３項記載の聴力適合化装置
【請求項２７】
前記聴力適合化装置、聴力適合化方法において、所定の騒音環境場所における所定の周波数帯域のゲインを落とす騒音環境適応手段を有し、前記入力音声に対してユーザーが騒音環境適応手段を有効にする騒音環境適応有効化手段を有することを特徴とする特許請求範囲第1項あるいは１１項記載の聴力適合化装置、聴力適合化方法
【請求項２８】
前記聴力適合化装置、聴力適合化方法において騒音環境場所において使用するため所定の周波数の騒音の有無を判定する騒音環境判定手段、さらに所定の周波数帯域のゲインを落とす騒音環境適応手段を有し、騒音環境判定手段が騒音有りと判断した場合騒音環境適応手段を有効化する自動騒音環境適応有効化手段を有することを特徴とする特許請求範囲特許請求範囲第1項あるいは１１項記載の聴力適合化装置、聴力適合化方法
【請求項２９】
前記騒音環境適応手段の騒音環境の所定周波数帯は２０Ｈｚから５００Ｈｚであることを特徴とする特許請求範囲第２７あるいは２８項記載の聴力適合化装置、聴力適合化方法
【請求項３０】
入力音声信号を周波数別にゲイン調整を行うために予め高周波部分を強調するハイブースト周波数特性設定ラインと低周波部分を強調するローブースト周波数特性設定ラインを設けておき前記入力音声を２つに分割し、前記入力音声信号の１つを前記ハイブースト周波数特性設定ラインを参照し高周波部分を強調処理するハイブースト音声信号処理生成手段により生成したハイブースト音声信号と前記入力音声信号の他の１つを前記ローブースト周波数特性設定ラインを参照し低周波部分を強調処理するローブースト音声信号処理生成手段により生成したローブースト音声信号の２つの音声信号を生成し、前記ハイブースト音声信号に所定の２つの音声信号を合成する比率を調整するための係数倍するハイブースト音声信号係数倍手段、前記ローブースト音声信号に所定の２つの音声信号を合成する比率を調整するための係数倍するローブースト音声信号係数倍手段により生成した２つの音声信号を合成して音声出力とする合成音声出力手段を有することを特徴とする聴力適合化装置、聴力適合化方法
【請求項３１】
前記ハイブースト周波数特性設定ラインは所定の周波数を中心基準として傾きを調整されるハイブースト周波数特性設定ライン調整手段、前記ローブースト周波数特性設定ラインは所定の周波数を中心基準として傾きを調整されるローブースト周波数特性設定ライン調整手段を有していることを特徴とする特許請求範囲第３０項記載の聴力適合化装置、聴力適合化方法
【請求項３２】
前記ハイブースト周波数特性設定ラインの所定の周波数を中心基準とする中心位置を調整するハイブースト中心位置調整手段、前記ローブースト周波数特性設定ラインの所定の周波数を中心基準とする中心位置を調整するローブースト中心位置調整手段を有していることを特徴とする特許請求範囲第３１項記載の聴力適合化装置、聴力適合化方法
【請求項３３】
前記ハイブースト音声信号の所定の係数はハイブースト係数入力調整手段で設定し、前記ローブースト音声信号の所定の係数はローブースト係数入力調整手段で設定することを特徴とする特許請求範囲第３０項記載の聴力適合化装置、聴力適合化方法
【請求項３４】
前記ハイブースト周波数特性設定ラインとローブースト周波数特性設定ラインの調整は独立して行われることを特徴とする特許請求範囲第３０項記載の聴力適合化装置、聴力適合化方法
【請求項３５】
前記ハイブースト周波数特性設定ラインの中心基準の周波数は１０００Ｈｚから８０００Ｈｚであり、前記ローブースト周波数特性設定ラインの中心基準の周波数は４００Ｈから１０００Ｈｚであることを特徴とする特許請求範囲第３０項記載の聴力適合化装置、聴力適合化方法
【請求項３６】
前記入力音声信号を分析し入力音声状況を記憶しておく入力音声分析記憶手段を有し、さらにユーザーが前記調整手段を使用して調整したハイブースト周波数特性設定ライン及びローブースト周波数特性設定ラインの傾きを前記入力音声分析記憶手段と同時に記憶する入力音声状況・ハイブースト・ローブースト周波数特性設定ライン傾き記憶手段を有し、入力音声を分析し前記入力音声状況・ハイブースト・ローブースト周波数特性設定ライン傾き記憶手段から該当する入力音声状況を選択し、ユーザーの調整なしに前記ハイブースト・ローブースト周波数特性設定ライン傾き決定する自動ハイブースト・ローブースト周波数特性設定ライン傾き調整手段を有していることを特徴とする特許請求範囲第３２項記載の聴力適合化装置、聴力適合化方法
【請求項３７】
前記ハイブースト周波数特性設定ライン及びローブースト周波数特性設定ラインの傾きと同時に調整した回転中心位置を記憶する入力音声状況・ハイブースト・ローブースト周波数特性設定ライン中心位置記憶手段を有し、入力音声を分析し前記入力音声状況・ハイブースト・ローブースト周波数特性設定ライン中心位置傾き記憶手段から該当する入力音声状況を選択し、ユーザーの調整なしに前記ハイブースト・ローブースト周波数特性設定ライン中心位置傾きを決定する自動ハイブースト・ローブースト周波数特性設定ライン中心位置傾き調整手段を有していることを特徴とする特許請求範囲第３６項記載の聴力適合化装置、聴力適合化方法
【請求項３８】
前記入力音声信号を分析し入力音声状況を記憶しておく入力音声分析記憶手段を有し、さらにユーザーが前記調整手段を使用して調整したハイブースト係数、ローブースト係数を前記入力音声分析記憶手段と同時に記憶する入力音声状況・ハイブースト・ローブースト係数記憶手段を有し、入力音声を分析し前記入力音声状況・ハイブースト・ローブースト係数記憶手段から該当する入力音声状況を選択し、ユーザーの調整なしに前記ハイブースト・ローブースト係数を決定する自動ハイブースト・ローブースト係数調整手段を有していることを特徴とする特許請求範囲第３３項記載の聴力適合化装置、聴力適合化方法
【請求項３９】
前記入力音声信号を分析する分析手段は周波数分析であることを特徴とする特許請求範囲第３６項ないし３８項項記載の聴力適合化装置、聴力適合化方法
【請求項４０】
入力音声信号を周波数別にゲイン調整を行うために高周波部分を強調するハイブースト周波数特性設定ラインと低周波部分を強調するローブースト周波数特性設定ラインを設け、入力音声を２つに分割し、前記入力音声信号の１つを前記ハイブースト周波数特性設定ラインを参照し周波数別にゲインを調整し高周波部分を強調処理するハイブースト音声信号処理生成手段を設け、前記声信号処理生成手段により生成したハイブースト音声信号と前記入力音声信号の他の１つを前記ローブースト周波数特性設定ラインを参照し周波数別にゲインを調整し低周波部分を強調処理するローブースト音声信号処理生成手段を設け前記声信号処理生成手段により生成したローブースト音声信号の２つの音声信号を生成し前記ハイブースト音声信号に所定の２つの音声信号を合成する比率を調整するための係数倍するハイブースト音声信号係数倍手段、前記ローブースト音声信号に所定の２つの音声信号を合成する比率を調整するための係数倍するローブースト音声信号係数倍手段を設け前記ハイブースト音声信号係数倍手段、ローブースト音声信号係数倍手段により生成した２つの音声信号を合成して音声出力とする合成音声出力手段を有することを特徴とする聴力適合化装置、聴力適合化方法
【請求項４１】
前記ハイブースト周波数設定ラインおよびローブースト周波数設定ラインは、所定の周波数を中心基準として傾きを調整されるハイブースト周波数設定ライン傾き調整手段、所定の周波数を中心基準として傾きを調整されるローブースト周波数設定ライン傾き調整手段、ハイブースト周波数特性設定ラインの所定の周波数を中心基準とする中心位置を調整するハイブースト中心位置調整手段、ローブースト周波数特性設定ラインの所定の周波数を中心基準とする中心位置を調整するローブースト中心位置調整手段、前記ハイブースト音声信号に所定の係数倍される係数を調整するハイブースト係数入力調整手段、前記ローブースト音声信号に所定の係数倍される係数を調整するローブースト係数入力調整手段から選ばれた少なくとも１つの調整手段を有することを特徴とする特許請求範囲第４０項記載の聴力適合化装置、聴力適合化方法
【請求項４２】
前記ハイブースト周波数特性設定ラインとローブースト周波数特性設定ラインの調整は独立して行われることを特徴とする特許請求範囲第４１項記載の聴力適合化装置、聴力適合化方法
【請求項４３】
前記ハイブースト周波数特性設定ラインの中心基準の周波数は１０００Ｈｚから８０００Ｈｚであり、前記ローブースト周波数特性設定ラインの中心基準の周波数は４００Ｈｚから１０００Ｈｚであることを特徴とする特許請求範囲第４１項記載の聴力適合化装置、聴力適合化方法
【請求項４４】
入力音声信号を周波数別にゲイン調整を行うために周波数特性設定ラインを設け、入力音声信号を前記周波数特性設定ラインを参照し周波数別にゲインを調整した音声信号処理生成手段を有し前記音声信号処理生成手段により生成し音声出力する聴力適合化装置、聴力適合化方法において前記周波数設定ラインは、所定の周波数を中心基準として傾きを調整される周波数設定ライン傾き調整手段、所定の周波数を中心基準として傾きを調整される周波数設定ライン傾き調整手段、周波数特性設定ラインの所定の周波数を中心基準として中心位置を調整する中心位置調整手段から選ばれた少なくとも１つの調整手段を有することを特徴とする聴力適合化装置、聴力適合化方法
【発明の詳細な説明】
【技術分野】
【０００１】
本発明は個人の聴覚特性さらには該当個人の聴取状況（騒音等の音環境も含む）に応じて対応可能な聴覚適応技術で、聴覚障害者のみならず健聴者に対しても、どういった状況でも会話（通話含む）を明瞭、快適、スムーズにするために、当該個人の聴覚に適合させるための聴覚適合化装置および、聴力適合方法に関する。
【背景技術】
【０００２】
従来特に難聴者向けに各種補聴器が提案されてきているが、聴覚は個人差が大きく、また個人の体調といった部分、周囲の音環境によっても聴覚は変化している。聴覚能力を補うために難聴者の聴覚の特性を例えばオージオメーター当により周波数別に測定し、その結果から望ましい補聴器の補正・出力特性を算出し、難聴者にとって望ましい特性（周波数帯域別に出力をコントロールする）が得られる補聴器を選択したり、該当補聴器の特性を調整したりすることによって解決を図ってきたが、聴覚の障害状況等を測定器で正確に把握することは難しくこのような方法には限界があった。
【０００３】
例えば日本国特開２０００−１６５４８３においてはデジタル電話において聴力に障害のある聞き手には聞きとりにくい可能性があるためユーザーの個別聴力 スペクトルを表すユーザーパラメータを得るステップと、ユーザーにより聞かれる情報を表すデジタル入力信号を受信するステップと、聴力 調整されたデジタル信号を生成するためにユーザーパラメータに従ってデジタル入力信号を調整するステップと、この聴力調整されたデジタル信号に基づいて、アナログ出力信号を生成するステップとを含むデジタル電話のオーディオ出力を調整するようにしている。しかしながら。難聴者の聴覚の特性を得るためには特別な場所が必要であり、容易ではない複雑な聴取特性と得る工程が必用となってくる。
【０００４】
そればかりでなく個々の難聴者が生活している場合にいろいろな場所へ行くことが考えられるが、その場合の周囲の音環境によって聴力特性が変化するため、各周囲の音環境によって補聴器の出力特性に対して補正を変化させる必要があるがこういった状況に手軽に対応できる機器は存在していなかったのが現状である。また聴力というものは個人の体調等にも影響され同じ音環境でも前回と同様な出力特性に対しての補正でいいというわけではない。
【０００５】
さらなる問題として聞こえ方というのは、人間の感覚に関することで、他人（医師、専門家等）に言葉で伝えることが難しく、聴取者本人しかわからないということである。しかしながら聴覚特性を把握するためにはこの聴取者本人しかわからない感覚を何らかの形で取り出さなければならないがこれが非常に難しい。理想的には個々の聴取者、それぞれの場所、時に応じて入力音声を周波数別に調整できるイコライザーを装備し各聴取者が各場所、時において調整を行えばよいのであるが、現実的ではなかった。これは健聴者においても周囲の音環境が良くなければ通話を含めた相手の声などが聞き取りにくくなり会話等がスムーズに行かなくなるということが十分に考えられる。
【０００６】
また他の要望として例えば音楽を聴くといったオーディオ分野などにおいて音源の各部のいろいろな周波数帯に対して個人の聴力特性、あるいは場所といった状況に応じて連続的に周波数を調整する方法により好ましい音響特性等も求められていた。
【０００７】
【特許文献１】特開２０００−１６５４８３
【発明の開示】
【発明が解決しようとする課題】
【０００８】
個々の使用者がその日の自分の聴取特性の調子、周囲の状況等に応じて使用者個人で簡便に調整可能である聴覚適合化装置、方法が求められていた。従来品の難聴者向け補聴器においては聴取者の聴力特性を特別な測定装置等を使い、該当者に合った出力特性を調整していた。しかしながら、前述したように聞こえ方というのは聴取者本人しかわからないだけでなく、体調、場所場所における音環境の違いから必ずしも満足いくというものでなかったのが現状である。
【０００９】
同様に健聴者においても例えば外に持ち出す携帯電話などにおいては様々な場所で通話するため必ずしもいつも満足な相手の音声出力ができるわけではなかった。場所等に応じて最適な音声が聴取できるようになれば非常に使い勝手がよくなる。すなわち飛行場、駅といった騒音の多い場所において、周囲の音環境に合わせて携帯電話の使用者の聴力特性に合わせて簡単に調整することによって、聴力を適合させることができれば音環境の悪い場所でも携帯電話で容易に会話が可能となる。
【００１０】
特に聴力（どういったふうに聞こえるか）は感覚的なもので他人に言葉で伝えることは難しく、また機械で測定できる限界があるため、聴取者本人が自分自身で容易に調整できるものが必要である。調整可能であれば個人差、音環境の違う場所等の差にも容易に補正可能となる。
【００１１】
またオーディオ等で該当聴取者の特性、場所の特性に対応した連続的な調整機構があれば従来に比べて人の聴覚に対応した調整が可能となる。
【課題を解決するための手段】
【００１２】
前述の課題を解決するために本発明者らは鋭意研究の結果以下の手段をとった。本発明は以上のような従来の欠点に鑑み、音声の出力時のラウドネス（感覚的音量）を変化させることなしに高音域および低音域においてそれぞれの個々の聴覚に対して適性化補正を容易に行うことができ、さらに聴取者が自分で聞きながら調節できるセルフフィッティング技術も併用して補聴器、携帯電話等の聴力適合化装置、方法を提供するものである。
【００１３】
すなわち入力音声信号を各周波数別にゲイン調整を行うために、予め高周波部分を強調するハイブースト周波数特性設定ラインと低周波部分を強調するローブースト周波数特性設定ラインを設けておく。そして入力音声を２つに分割し、前述のハイブースト周波数特性設定ラインに基づいて高周波部分を強調処理するハイブースト音声信号処理と前述のローブースト周波数特性設定ラインに基づいて低周波部分を強調処理するローブースト音声信号処理の２つを音声信号処理行う音声信号処理生成手段設けておく。
【００１４】
そして前述の入力音声信号をこの音声信号処理生成手段により生成した２つの音声信号を合成して音声出力とする合成音声出力手段を設けておけばよい。このハイブースト周波数特性設定ラインとローブースト周波数特性設定ラインの２つの特性設定ラインを1対の調整手段で相補的に調整するハイブースト周波数特性設定ライン、ローブースト周波数特性設定ライン同時相補一括調整手段を設けておけばよく、このハイブースト周波数特性設定ラインとローブースト周波数特性設定ラインは所定の周波数で交差させておく。
【００１５】
そしてこの記交差した点を中心基準としてハイブースト周波数特性設定ラインとローブースト周波数特性設定ラインの両者の傾きを変化させることにより同時相補一括調すればよい。このハイブースト周波数特性設定ラインとローブースト周波数設定特性ラインの交差所定周波数は５００Ｈｚから２ｋＨｚであればよい。
【００１６】
この相補的にハイブースト周波数特性設定ライン、ローブースト周波数特性設定ラインを同時に調整する調整手段はハイブースト周波数特性設定ライン、ローブースト周波数特性設定ラインを所定の周波数で交差された交点を中心に該ハイブースト周波数特性設定ライン、ローブースト周波数特性設定ラインをそれぞれ対称に傾き調整すればよい。こうすることによって1対の調整手段により高い周波数部分の強調と低い周波数部分の強調が簡便に同時に簡便に可能となる。
【００１７】
次に調整を自動で行なう方法について説明する。入力音声信号を分析し入力音声状況を記憶しておく入力音声分析記憶手段設けておき、さらにユーザーが前記調整手段を使用して調整したハイブースト周波数特性設定ライン及びローブースト周波数特性設定ラインの傾きを前述の入力音声分析記憶手段と同時に記憶する入力音声状況・ハイブースト・ローブースト周波数特性設定ライン傾き記憶手段を設けておく。そして入力音声を分析し前述の入力音声状況・ハイブースト・ローブースト周波数特性設定ライン傾き記憶手段から該当する入力音声状況と同様の音声状況パターンを選択し、ユーザーの調整なしにこのハイブースト・ローブースト周波数特性設定ライン傾き決定する自動ハイブースト・ローブースト周波数特性設定ライン傾き調整手段を設けておけばよい。こうすることによって同じ音環境等の場合にユーザーがいちいち調整しなくても容易に聞きやすい音声を出力を得ることが可能となる。
【００１８】
そして前述の自動ハイブースト・ローブースト周波数特性設定ライン傾き調整手段は学習機能を設けておけばユーザーの行く可能性がある音環境に対して蓄積されればされるほど容易に自動的に最適なハイブースト・ローブースト周波数特性設定ライン傾きを得ることが可能となる。そしてこの入力音声信号を分析する分析手段は周波数分析であればよい。
あるいは入力音声信号を分析し入力音声状況を把握する入力音声分析手段、所定の入力音声状況に対応するハイブースト周波数特性設定ラインとローブースト周波数特性設定ラインの傾きを予め記憶している音声状況対応ハイブースト・ローブースト周波数特性設定ラインの傾き記憶手段を設けておいてもよい。この場合一般的な人のデータを取っておき各音環境に合ったハイブースト・ローブースト周波数特性設定ライン傾きを記憶しておけばよい。またこの場合の音声信号を分析する分析手段は周波数分析であればよい。
【００１９】
以上は高い周波数部分と低い周波数部分を２本の周波数特性設定ライン（ハイブースト、ローブースト）を同時に調整する方法について述べたが次に人の会話の主たる部分を強調する方法について説明する。入力音声信号を周波数別にゲイン調整を行うために予め周波数特性設定ラインを設けておき、前述の入力音声信号を前記周波数特性設定ラインに基づいて音声信号をゲイン処理する音声信号処理生成手段を設けておく。
【００２０】
この周波数特性設定ラインは所定の周波数を中心基準に傾きを変化させることによって調節する調整手段を設けておけばよい。そしてこの所定の周波数は５００Ｈｚから２ｋＨｚであるこればよい。
【００２１】
先ほどの説明では高い周波数部分と低い周波数部分を同時に自動で行なう方法すなわち２本の周波数特性設定ライン（ハイブースト、ローブースト）について説明したがここでは、1本の周波数特性設定ラインの調整を自動で行なう方法について説明する。前述の入力音声信号を分析し入力音声状況を記憶しておく入力音声分析記憶手段を設けておき、、さらにユーザーが前記調整手段を使用して調整した周波数特性設定ラインの傾きを前述の入力音声分析記憶手段と同時に記憶する入力音声状況・周波数特性設定ライン傾き記憶手段を設けておく。さらに入力音声を分析し前記入力音声状況・周波数特性設定ライン傾き記憶手段から該当する入力音声状況を選択し、ユーザーの調整なしに前記周波数特性設定ライン傾き決定する自動周波数特性設定ライン傾き調整手段を設けおけばよい。
【００２２】
この自動ハイブースト・ローブースト周波数特性設定ライン傾き調整手段は学習機能を設けておけばさらに便利である。そしてこの入力音声信号を分析する分析手段は周波数分析であればよい。
【００２３】
あるいは入力音声信号を分析し入力音声状況を把握する入力音声分析手段、所定の入力音声状況に対応する周波数特性設定周波数特性設定ラインの傾きを予め記憶している音声状況対応周波数特性設定ラインの傾き記憶手段を設けておけばよい。この場合先ほどの２本の周波数特性設定ラインの場合と同様に一般的な人のデータを取っておき各音環境に合ったハイブースト・ローブースト周波数特性設定ライン傾きを記憶しておけばよい。そして同様にこの入力音声信号を分析する分析手段は周波数分析であればよい。
【００２４】
次に前述の方法を補聴器に適用する方法につてい説明するが、この方法は前者の２本周波数特性設定ライン（ハイブースト・ローブースト）の場合、後者の１本の周波数設定ラインの場合の両者に適応できる。前述の聴力適合化装置、聴力適合化方法は補聴器に適用される。そして前述の調整手段は音声出力調整手段と独立でコントロール可能であり、この音声出力調整手段と調整手段は同じ機械的調整装置で調整され前述の機械的調整装置は前述の音声出力調整手段あるいは、この調整手段を選択するボリューム、周波数調整選択する機械調整選択手段を設けておけばよい。
【００２５】
この補聴器は耳に設置される一体構造であり、前述の調整手段は一体構造に設けられていればよい。あるいは、前述の補聴器はリモート部と耳設置部に分かれておりリモート部と前記耳設置部は有線あるいは近距離無線通信で結ぶ通信手段を設けておき通信すればよく、この調整手段は前記リモート部に設けておけばよい。
【００２６】
以上補聴器に適用する方法につてい説明したが次に携帯電話等の通信機器に適用する方法の説明をするが、この方法は前者の２本周波数特性設定ライン（ハイブースト・ローブースト）の場合、後者の１本の周波数設定ラインの場合の両者に適応できる。
前述の聴力適合化装置、聴力適合化方法は通話通信手段に適用される。そしてこの通話通信手段は携帯電話、固定電話等の電話であり、さらにインターカム等の特定場所の通話連絡装置であってもよい。
【００２７】
前述の聴力適合化装置と前記通信手段と一体構造とし前述の調整手段は一体構造に設けておけばよい。あるいは前述の聴力適合化装置は前述の通話通信手段と分かれており前述の聴力適合化装置と前述の通話通信手段の間は有線あるいは近距離無線通信手段で通信するようにしておけばよい。
【００２８】
次に騒音環境で使う場合の更なる応用について説明するが、この方法は前者の２本周波数特性設定ライン（ハイブースト・ローブースト）の場合、後者の１本の周波数設定ラインの場合の両者に適応できる。前述の聴力適合化装置、聴力適合化方法において所定の騒音環境場所において所定の周波数帯域のゲインを落とす騒音環境適応手段を有し前述の入力音声に対してユーザーが騒音環境適応手段を有効にする騒音環境適応有効化手段を設けて置けばよい。そうすればユーザーが自由に有効化手段を使うことにより騒音環境下でも良好な状況で聞くことが可能となる。
【００２９】
あるいは前述の聴力適合化装置、聴力適合化方法において騒音環境場所において使用するため所定の周波数の騒音の有無を判定する騒音環境判定手段、さらに所定の周波数帯域のゲインを落とす騒音環境適応手段を有し、騒音環境判定手段が騒音有りと判断した場合騒音環境適応手段を有効化する自動騒音環境適応有効化手段を設けておけばよい。所定の騒音環境と判断した場合に騒音をカットすることが可能となる。そしてこの騒音環境適応手段の騒音環境の所定周波数帯は２０Ｈｚから５００Ｈｚでありさらに好ましくは２０Ｈｚから２００Ｈｚであればよい。
【００３０】
次に連続的にいろいろな周波数帯に対して個人の聴力特性、あるいは場所といった状況に対して適合した調整方法について説明していく。  入力音声信号を周波数別にゲイン調整を行うために予め高周波部分を強調するハイブースト周波数特性設定ラインと低周波部分を強調するローブースト周波数特性設定ラインを設けておき入力音声を２つに分割し、この入力音声信号の１つを前述のハイブースト周波数特性設定ラインを参照し高周波部分を強調処理するハイブースト音声信号処理生成手段により生成したハイブースト音声信号と前述の入力音声信号の他の１つを前記ローブースト周波数特性設定ラインを参照し低周波部分を強調処理するローブースト音声信号処理生成手段により生成したローブースト音声信号の２つの音声信号を生成しこの生成したハイブースト音声信号に所定の２つの音声信号を合成する比率を調整するための係数倍するハイブースト音声信号係数倍手段、またローブースト音声信号に所定の２つの音声信号を合成する比率を調整するための係数倍するローブースト音声信号係数倍手段により生成した２つの音声信号を合成して音声出力とする合成音声出力手段を設けておけばよい。
【００３１】
そして前述のハイブースト音声信号に所定の係数はハイブースト係数入力調整手段で設定し、同様にローブースト音声信号に所定の係数はローブースト係数入力調整手段で設定するようにすればハイブースト音声信号とローブースト音声信号の割合を調整して音声合成をすることが可能となる。よってハイブースト周波数設定ラインを基にしたハイブースト音声信号とローハイブースト周波数設定ラインを基にしたハイブースト音声信号を所望の割合で調整できるため所望の音声を出力することが可能となる。
【００３２】
前述のハイブースト周波数特性設定ラインは所定の周波数を中心基準として傾きを調整されるハイブースト周波数特性設定ライン調整手段、ローブースト周波数特性設定ラインは所定の周波数を中心基準として傾きを調整されるローブースト周波数特性設定ライン調整手段を設けておけばよい。前述の記ハイブースト周波数特性設定ラインの所定の周波数を中心基準とする中心位置を調整するハイブースト中心位置調整手段、.ローブースト周波数特性設定ラインの所定の周波数を中心基準とする中心位置を調整するローブースト中心位置調整手段を設けておけばよい。
【００３３】
前述のハイブースト周波数特性設定ラインとローブースト周波数特性設定ラインの調整は独立して行われるようにしておけば調整度の自由度は上がる。このハイブースト周波数特性設定ラインの中心基準の周波数は１０００Ｈｚから８０００Ｈｚであり、ローブースト周波数特性設定ラインの中心基準の周波数は４００Ｈｚから１０００Ｈｚとしておけばよい。  このような複数の調整を備えておくことによってオーディオ機器に必要となる周波数聴取環境の調整が連続的な形で実現することが可能となる。
【００３４】
次に音声入力状況によって最適な聴取環境にする方法について前述の仕組みに付加する方法について述べる。入力音声信号を分析し入力音声状況を記憶しておく入力音声分析記憶手段を設けておき、さらにユーザーが前記調整手段を使用して調整したハイブースト周波数特性設定ライン及びローブースト周波数特性設定ラインの傾きを前述の入力音声分析記憶手段と同時に記憶する入力音声状況・ハイブースト・ローブースト周波数特性設定ライン傾き記憶手段、を設けておき、入力音声を分析し前述の入力音声状況・ハイブースト・ローブースト周波数特性設定ライン傾き記憶手段から該当する入力音声状況を選択し、ユーザーの調整なしに前述のハイブースト・ローブースト周波数特性設定ライン傾き決定する自動ハイブースト・ローブースト周波数特性設定ライン傾き調整手段を設けておけば自動的に最適なハイブースト・ローブースト周波数特性設定ライン傾き情報をよびだし入力音声に合致した聴取状況を作り出すことが可能となる。
【００３５】
さらにこのハイブースト周波数特性設定ライン及びローブースト周波数特性設定ラインの傾きと同時に調整した回転中心位置を記憶する入力音声状況・ハイブースト・ローブースト周波数特性設定ライン中心位置記憶手段を設けておき、入力音声を分析し前記入力音声状況・ハイブースト・ローブースト周波数特性設定ライン中心位置・傾き記憶手段から該当する入力音声状況を選択し、ユーザーの調整なしに前記ハイブースト・ローブースト周波数特性設定ライン中心位置傾き決定する自動ハイブースト・ローブースト周波数特性設定ライン中心位置傾き調整手段を設けておけばよい。
【００３６】
また入力音声信号を分析し入力音声状況を記憶しておく入力音声分析記憶手段を設けておき、さらにユーザーが前記調整手段を使用して調整したハイブースト係数、ローハイブースト係数を前述の入力音声分析記憶手段と同時に記憶する入力音声状況・ハイブースト・ローブースト係数記憶手段、入力音声を分析し前記入力音声状況・ハイブースト・ローブースト係数記憶手段から該当する入力音声状況を選択し、ユーザーの調整なしに前記ハイブースト・ローブースト係数決定する自動ハイブースト・ローブースト係数調整手段を設けておけばよい。そしてこの入力音声信号を分析する分析手段は周波数分析とすればよい。
【００３７】
また入力音声信号を周波数別にゲイン調整を行うために高周波部分を強調するハイブースト周波数特性設定ラインと低周波部分を強調するローブースト周波数特性設定ラインを設け、入力音声を２つに分割し、この入力音声信号の１つを前述のハイブースト周波数特性設定ラインを参照し周波数別にゲインを調整し高周波部分を強調処理するハイブースト音声信号処理生成手段を設け、この声信号処理生成手段により生成したハイブースト音声信号と入力音声信号の他の１つを前述のローブースト周波数特性設定ラインを参照し周波数別にゲインを調整し低周波部分を強調処理するローブースト音声信号処理生成手段を設けさらに前述の音声信号処理生成手段により生成したローブースト音声信号の２つの音声信号を生成しこのハイブースト音声信号に所定の２つの音声信号を合成する比率を調整するための係数倍するハイブースト音声信号係数倍手段、ローブースト音声信号に所定の２つの音声信号を合成する比率を調整するための係数倍するローブースト音声信号係数倍手段を設けこのハイブースト音声信号係数倍手段、ローブースト音声信号係数倍手段により生成した２つの音声信号を合成して音声出力とする合成音声出力手段を設けておけばよい。
【００３８】
そしてこのハイブースト周波数設定ラインおよびローブースト周波数設定ラインは、所定の周波数を中心基準として傾きを調整されるハイブースト周波数設定ライン傾き調整手段、所定の周波数を中心基準として傾きを調整されるローブースト周波数設定ライン傾き調整手段、ハイブースト周波数特性設定ラインの所定の周波数を中心基準とする中心位置を調整するハイブースト中心位置調整手段、ローブースト周波数特性設定ラインの所定の周波数を中心基準とする中心位置を調整する。
【００３９】
ローブースト中心位置調整手段、ハイブースト音声信号に所定の係数倍される係数を調整するハイブースト係数入力調整手段、ローブースト音声信号に所定の係数倍される係数を調整するローブースト係数入力調整手段から選ばれた少なくとも１つの調整手段を設けておけば、ユーザーの聴力、音環境にあった連続的な音声信号を生成することが可能となる。そしてハイブースト周波数特性設定ラインとローブースト周波数特性設定ラインの調整は独立して行われればよい。このハイブースト周波数特性設定ラインの中心基準の周波数は１０００Ｈｚから８０００Ｈｚであり、ローブースト周波数特性設定ラインの中心基準の周波数は４００Ｈｚから１０００Ｈｚであればよい。周波数設定ラインが１つでもよくその場合には入力音声信号を周波数別にゲイン調整を行うために周波数特性設定ラインを設け、入力音声信号を前記周波数特性設定ラインを参照し周波数別にゲインを調整した音声信号処理生成手段有しこの音声信号処理生成手段により生成し音声出力する聴力適合化装置、聴力適合化方法において前記周波数設定ラインは、所定の周波数を中心基準として傾きを調整される周波数設定ライン傾き調整手段、所定の周波数を中心基準として傾きを調整される周波数設定ライン傾き調整手段、周波数特性設定ラインの所定の周波数を中心基準として中心位置を調整する中心位置調整手段から選ばれた少なくとも１つの調整手段を設けておけばよい。
【発明の効果】
【００４０】
以上述べたように本発明によれば難聴者向けの補聴器においては複雑な調整無しに個々の人の聴力特性に合った補正が可能となり、さらに音環境の様々な場所においても簡単な調整により聴力補正が可能となる。特に本人しか分からない聴覚の聞こえたままの感覚を基に聴取者本人が、その日の聴覚の調子、場所等にかかわらず容易に調整可能することができるので日時、場所等によらず最適な聴力補正ができる。また健聴者においても様々な騒音が発生する音環境の様々な場所において携帯電話等で会話する際、場所によって簡単な調整で最適な補正をかける事が可能となり騒音環境等でも会話が可能となる。また聴力、音環境、場所の形状によって異なる場合において聴力適合化が容易に連続的に行なえる。
【発明を実施するための最良の形態】
【００４１】
以下に具体的に説明していく。以下図に基づいてさらに詳しく説明していく。図1は本発明の１実施形態の概略ブロック図である。図２は入力音声を周波数帯域によって強調の程度を決める周波数特性設定ラインを示している。図１において入力音声信号を２つに分割し高い周波数を強調する信号処理は１０２のハイブースト周波数設定ラインを参照して１０１のハイブースト音声信号処理生成ライン生成手段によりハイブースト音声信号を生成する。低い周波数を強調する信号処理は１０４のローブースト周波数設定ラインを参照して１０５のローブースト音声信号処理生成ライン生成手段によりローブースト音声信号を生成する。次に生成されたハイブースト音声信号とローブースト音声信号を１０６のハイブースト音声信号・ローブースト音声信号合成手段により合成して音声出力とする。
【００４２】
ここで周波数特性設定ラインの調整について説明するが図１の１０３の一括連携調整手段により１０２のハイブースト周波数設定ラインとローブースト周波数設定ラインを同時に連携させて調整を行なうことができる。これは図２に示したが、予め設定されているハイブースト周波数設定ライン、ローブースト周波数設定ラインをそれぞれ２０１、２０４とする。図１の１０３の一括連携調整手段によりそれぞれの傾きを大きくする場合には周波数１０００Ｈｚに設定してある各特性設定ラインの交差する交点（２１０）を基準にハイブースト周波数設定ライン、ローブースト周波数設定ラインをそれぞれ２０２、２０６と変化させる。  
【００４３】
同様に図１の１０３の一括連携調整手段によりそれぞれの傾きを小さくする場合には周波数１０００Ｈｚに設定してある各特性設定ラインの交差する交点（２１０）を基準にハイブースト周波数設定ライン、ローブースト周波数設定ラインをそれぞれ２０３、２０５と変化させればよい。さらに詳しく説明していくが、図３は上述のフローを示した図であり、まず必用に応じて３０１において音声入力をＡＤ変換（アナログ−デジタル変換）する。次にデジタル音声を３０２において２分割する。この２分割したデジタル音声信号を高い周波数の強調は３０５のハイブースト周波数特性設定ラインを参照して３０３のハイブースト音声信号生成を行ない、低い周波数の強調は３０６のローブースト周波数特性設定ラインを参照して３０５においてローブースト音声信号生成を行なう。
【００４４】
この時の様子を図２を用いてさらに詳しく説明するが、ここでゲインの調整は各周波数帯域に分割し行ない、デジタル音声信号のゲインは設定されているハイブースト・ローブースト周波数特性設定ラインに基づいてプラスあるいはマイナスすればよい。
ここで高い周波数を強調するハイブースト周波数特性設定ライン２０１に調整されているとすると高い周波数を強調する場合は各周波数帯のハイブースト周波数特性設定ライン２０１に基づいてゲインをプラスあるいはマイナスする。ここでＡという周波数帯域の場合図２に示すように基準線２０９よりハイブースト周波数特性設定ライン２０１上の２０７へのゲインプラス量ａｈを加えればよい。次に低い周波数を強調するローブースト周波数特性設定ライン２０４に調整されているとすると低い周波数を強調する場合は各周波数帯のハイブースト周波数特性設定ライン２０４に基づいてゲインをプラスあるいはマイナスする。ここでＡという周波数帯域の場合図２に示すように基準線２０９よりローブースト周波数特性設定ライン２０４上の２０８へのゲインマイナス量ａｈを減ずればよい。
【００４５】
次に生成したそれぞれ高い周波数を強調したハイブースト音声信号と低い周波数を強調したローブースト音声信号を３０７において合成し必要に応じて３０８においてＤＡ変換し音声として出力すればよい。次に周囲の音環境状況が近い場合いちいち調整しなくても済む方法について説明するが、概略ブロック図を図４に示した。ここで入力音声は４０１の入力音声分析手段により周波数分析された入力音声状況を４０４の制御手段を通じて４０５の入力音声状況ハイ・ロー周波数特性設定ライン傾き記憶手段に記憶される。またこの時ユーザーはハイブースト周波数特性設定ライン、ローハイブースト周波数特性設定ライン傾きを基にして４０６のハイ・ロー音声信号生成手段により前述のように図３に示したように音声出力を行っている。
【００４６】
ユーザーはこの出力音声を聞きながら４０３のユーザーインターフェースを通じて４０２のハイ・ロー周波数特性設定ライン調整手段においてハイブースト周波数特性設定ライン、ローハイブースト周波数特性設定ライン傾きを調整し、４０４の制御手段により先ほどの４０１の入力音声分析手段により周波数分析された入力音声状況とセットで４０５の入力音声状況ハイ・ロー周波数特性設定ライン傾き記憶手段に記憶する。
【００４７】
音声状況ハイ・ロー周波数特性設定ライン傾き記憶手段に記憶される様子を図５にフローで示した。音声入力は５０１の入力音声分析において周波数分析され入力音声状況として出力される。またユーザーは５０２のハイ・ロー音声信号生成処理において生成された音声出力を聞きながら５０４のユーザーインターフェースを通じて５０３のハイ・ロー周波数特性設定ライン調整においてハイブースト周波数特性設定ライン、ローハイブースト周波数特性設定ラインの調整された傾きを５０５の制御手段を通じて先ほどの５０１の音声状況出力とセットで５０５において入力音声状況ハイ・ロー周波数特性設定ライン傾記憶しておく。
【００４８】
次に周囲音環境状況によって最適の入力音声状況ハイ・ロー周波数特性設定ライン傾き記憶手段からハイブースト周波数特性設定ライン、ローハイブースト周波数特性設定ライン傾きをよびだし該当周囲音環境状況に適合した音声出力する方法について述べる。
音声入力は図４、４０１の入力音声分析手段において周波数分析され入力音声状況を把握し、制御手段のより４０５の入力音声状況ハイ・ロー周波数特性設定ライン傾き記憶手段に該当音声状況のセットが記憶されているかどうか調べ、存在していればよびだし４０６のハイ・ロー音声信号生成手段に送り音声出力する。
【００４９】
この入力音声状況ハイ・ロー周波数特性設定ライン傾き記憶は学習機能を設けておけばユーザーが調整機能を使えば使うほどユーザーに合った音環境による調整が自動的に行われる。この場合ユーザーが自動的によびだした調整に不満がある場合がある可能性があるのでそういった場合の説明を行う。その場合はユーザーは４０３のユーザーインターフェースを通じて４０２のハイ・ロー周波数特性設定ライン調整手段により調整を行うので４０４の制御手段においてこの調整の有無を監視し、調整があった場合は４０５の入力音声状況ハイ・ロー周波数特性設定ライン傾き記憶手段を参照せずに直接調整した４０２のハイ・ロー周波数特性設定ライン調整手段により調整したハイブースト周波数特性設定ライン、ローハイブースト周波数特性設定ライン傾き４０６のハイ・ロー音声信号生成手段に送り音声出力すればよい。
【００５０】
この様子を図６のフローに示したが、６０６の制御手段においてはユーザーが６０６のユーザーインターフェースを通じて６０３のハイ・ロー周波数特性設定ライン調整が行われているかどうか監視し調整が行われている場合には６０３のハイ・ロー周波数特性設定ライン調整で調整されたハイブースト周波数特性設定ライン、ローハイブースト周波数特性設定ライン傾きを６０２のハイ・ロー音声信号生成手段に送付し音声出力する。６０６の制御手段の監視下で６０３のハイ・ロー周波数特性設定ライン調整が行われていない場合には６０１で入力音声を周波数分析し入力音声状況を把握し６０６の制御手段よりこの入力音声状況に対応するデータの存在を６０５において入力音声状況ハイ・ロー周波数特性設定ライン傾きのセット記憶を調査し存在すればよびだし、よびだしたハイブースト周波数特性設定ライン、ローハイブースト周波数特性設定ライン傾きを６０２のハイ・ロー音声信号生成手段に送付し音声出力すればよい。
【００５１】
こうすることによってそれぞれの周囲音環境状況の場合のハイブースト周波数特性設定ライン、ローハイブースト周波数特性設定ラインの調整された傾きを記憶しているので入力音声が既に記憶された周囲音環境状況と近いものがある場合にいちいち調整する必要がなく該当周囲音環境状況とセットで記憶されたハイブースト周波数特性設定ライン、ロー周波数特性設定ラインの傾きを呼び出してハイ・ロー音声信号生成処理手段により音声出力すればよい。
【００５２】
本実施例ではユーザーが音環境によって調整しているが、予め標準の人に合致した音環境によってのハイブースト周波数特性設定ライン、ロー周波数特性設定ラインの傾きを調査し記憶させておき入力音声を分析して該当のハイブースト周波数特性設定ライン、ロー周波数特性設定ラインの傾きをよびだすようにしておいてもよい。次に本実施例を補聴器に適用した場合について説明するが、その場合の構成例を図７に示した。ここでの補聴器は７０１の耳装着装置と７０６の補聴器リモコン装置にわかれており両者はブルートゥース、ＺｉｇＢｅｅといった近距離通信で結ばれている。ここで通信部は有線でもよい。
【００５３】
７０１にはそれぞれ音声入力部７０２、前述に示したような音声の調整を行なう処理部７０５リモコン装置と通信を行なう通信部７０４、音声出力部７０３を備えている。７０６の補聴器リモコン部には調整部７０８と耳装着装置部と通信する通信部７０７を備えおり、調整部で各種調整を行なう。補聴器リモコン装置の調整部の一例として図８に示したように８０１の「Ｆ」（ファンクションボタン）８０２の「ＵＰ」（アップボタン）。８０３の「ＤＷＮ」（ダウンボタン）の各部を備えており、音量（ボリューム）は「ＵＰ」、「ＤＷＮ」の２つのボタンで調整することが可能である。次に前述で説明した周波数に関わる調整は「Ｆ」ボタンを押しながら「ＵＰ」ボタンを押すことにより周波数特性設定ラインの傾きを大きくすることができ、「Ｆ」ボタンを押しながら「ＤＷＮ」を押すことにより周波数特性設定ラインの傾きを小さくすることができる。図９にこの「ＵＰ」、「ＤＷＮ」ボタンの使い分け判定のフローを示したが、ここで「Ｆ」ボタンが押されているかどうかの判定を９０１で行い、押されていれば周波数特性設定ラインの傾きを調整して聴力特性をコントロールし、押されていなければボリュームコントロールを行なっている。
【００５４】
本実施例においては補聴器の耳装着装置に音声入力部、処理部リモコン装置に調整部を設けているがこれに限られるものではない。例えば全ての機能を耳装着装置に格納してもよく、こういった組み合わせは本発明の趣旨に反しない限り自由である。次に携帯電話への適用の例を示すがその構成の１例を図１０に示した。ここで通常の電話部音声出力部１００１からの音声信号を前述の方法で処理すればよく、１００２の調整部において周波数特性設定ラインの傾きを調整して聴力特性をコントロールし調整し、１００３の処理部において音声信号を処理し、１００４の音声出力部において音声出力を行なう。この場合携帯電話は既に既存のユーザーインターフェースを有しているので既存の操作部にそれぞれの調整を割り当てればよい。この様子を図１１に示したが、通常の音量（ボリューム）アップ、ダウン、ハイ・ローブースト周波数特性設定ラインの傾きアップ、ダウンにより調整する。さらに騒音環境にいる場合に特定周波数のゲインを落とすことは通話を助けるので騒音カットのオン機能も備えている。
【００５５】
次に騒音カットの方法について説明するが、通話時には周りの環境等によって会話のじゃまな音が混入することが考えられるがこのじゃまな音をカットすることにより相手の人の声をより聞きやすくすることが可能となる。通話騒音カットの場合の様子を説明するがその様子を図１２に示した。ここで（ａ）は騒音環境カット前の音声の状況を示しており、（ｂ）は騒音環境カット後の状況を示している。すなわちここでは２０Ｈｚから３００Ｈｚの周波数部分のゲインを１２０２に示すように落とすことによって会話の障害となる騒音をカットしている。本実施例において騒音カットはユーザーの起動によって行なったが、自動で行なってもよい。すなわち特定周波数（ここでは２０Ｈｚ〜３００Ｈｚ）の大きさを観測しておき一定以上の大きさになったとき自動的にオンとなるように設定しておけばよい。
【００５６】
本実施例においては騒音カットは携帯電話の場合を示したがこれに限られるものではなく補聴器の場合でもよい。また本実施例においては調整部、処理部は携帯電話本体に格納されているがこれに限られるものではなく例えば携帯電話と通信するヘッドセットあるいはマイクとイヤホンを設けておきこれに調整部、処理部を設けておいてもよい。あるいは携帯電話でなくても例えばＩＰ電話、通信回線に接続したパソコン等での通話の場合に適応させてもよくこういった組み合わせは本発明の趣旨に反しない限り自由である。
【００５７】
次に他の実施の形態を説明していく。図１３は本発明の他の１実施形態の概略ブロック図である。図１４は入力音声を周波数帯域によって強調の程度を決める周波数特性設定ラインを示している。図１３において入力音声信号の信号処理は１３０２の周波数設定ラインを参照して１３０１の周波数調整音声信号処理生成手段により音声信号を生成する。
ここで周波数特性設定ラインの調整について説明するが図１３の１３０３の周波数特性設定調整手段により１３０２の周波数設定ラインの調整を行なうことができる。これは図１４に示したが、予め設定されている周波数設定ラインを１４０１とする。図１３の１３０３の周波数特性設定調整手段により傾きを大きくする場合には周波数１０００Ｈｚに設定してある特性設定ラインの基準中心点（１４０６）を基準に周波数設定ラインを１４０２と変化させる。  
【００５８】
同様に図１３の１３０３の周波数特性設定調整手段によりの傾きを小さくする場合には周波数１０００Ｈｚに設定してある特性設定ラインの基準中心点（１４０６）を基準に周波数設定ラインを１４０３と変化させる。さらに詳しく説明していくが、図１５は上述のフローを示した図であり、まず必用に応じて１５０１において音声入力をＡＤ変換（アナログ−デジタル変換）する。次にデジタル音声を周波数特性設定ライン１５０４を参照して１５０２の周波数調整音声信号生成を行なう。
【００５９】
この時の様子を図１４を用いてさらに詳しく説明するが、ここでゲインの調整は各周波数帯域に分割し行なう。デジタル音声信号のゲインを予め設定されている周波数特性設定ラインに基づいてプラスあるいはマイナスすればよい。ここで周波数特性設定ライン１４０１に調整されているとすると周波数特性設定ライン１４０１に基づいてゲインをプラスあるいはマイナスする。ここでＡという周波数帯域の場合図１４に示すように基準線１４０５より周波数特性設定ライン１４０１上の１４０４へのゲインプラス量ａを加えればよい。
次に生成した音声信号を必要に応じて図１５の１５０３においてＤＡ変換し音声として出力すればよい。
【００６０】
次に周囲の音環境状況が近い場合いちいち調整しなくても済む方法について説明するが、概略ブロック図を１６図に示した。ここで入力音声は１６０１の入力音声分析手段により周波数分析された入力音声状況を１６０４の制御手段を通じて１６０５の入力音声状況周波数特性設定ライン傾き記憶手段に記憶される。またこの時ユーザーは周波数特性設定ライン傾きを基にして１６０６のハイ・ロー音声信号生成手段により前述のように図１５に示したように音声出力を行っている。
【００６１】
ユーザーはこの出力音声を聞きながら１６０３のユーザーインターフェースを通じて１６０２の周波数特性設定ライン調整手段において周波数特性設定ライン傾きを調整し、１６０４の制御手段により先ほどの１６０１の入力音声分析手段により周波数分析された入力音声状況とセットで１６０５の入力音声状況ハイ・ロー周波数特性設定ライン傾き記憶手段に記憶する。
【００６２】
音声状況周波数特性設定ライン傾き記憶手段に記憶される様子を図１７にフローで示した。音声入力は１７０１の入力音声分析において周波数分析され入力音声状況として出力される。またユーザーは１７０２のハイ・ロー音声信号生成処理において生成された音声出力を聞きながら１７０４のユーザーインターフェースを通じて１７０３の周波数特性設定ライン調整において周波数特性設定ラインの調整された傾きを５０５の制御手段を通じて先ほどの１７０１の音声状況出力とセットで１７０５において入力音声状況ハイ・ロー周波数特性設定ライン傾記憶しておく。
【００６３】
次に周囲音環境状況によって最適の入力音声状況周波数特性設定ライン傾き記憶手段から周波数特性設定傾きをよびだし該当周囲音環境状況に適合した音声出力する方法について述べる。音声入力は図１６、１６０１の入力音声分析手段において周波数分析され入力音声状況を把握し、制御手段１６０４のより１６０５の入力音声状況周波数特性設定ライン傾き記憶手段に該当音声状況のセットが記憶されているかどうか調べ、存在していればよびだし１６０６の音声信号生成手段に送り音声出力する。
【００６４】
この入力音声状況周波数特性設定ライン傾き記憶は学習機能を設けておけばユーザーが調整機能を使えば使うほどユーザーに合った音環境による調整が自動的に行われる。この場合ユーザーが自動的によびだした調整に不満がある場合がある可能性があるのでそういった場合の説明を行う。その場合はユーザーは１６０３のユーザーインターフェースを通じて１６０２の周波数特性設定ライン調整手段により調整を行うので１６０４の制御手段においてこの調整の有無を監視し、調整があった場合は１６０５の入力音声状況周波数特性設定ライン傾き記憶手段を参照せずに直接調整した１６０２のハイ・ロー周波数特性設定ライン調整手段により調整した周波数特性設定ライン傾き１６０６のハイ・ロー音声信号生成手段に送り音声出力すればよい。
【００６５】
この様子を図１８のフローに示したが、１８０６の制御手段においてはユーザーが１８０６のユーザーインターフェースを通じて１８０３の周波数特性設定ライン調整が行われているかどうか監視し調整が行われている場合には１８０３の周波数特性設定ライン調整で調整された周波数特性設定ライン傾きを１８０２のハイ・ロー音声信号生成手段に送付し音声出力する。１８０６の制御手段の監視下で１８０３の周波数特性設定ライン調整が行われていない場合には１８０１で入力音声を周波数分析し入力音声状況を把握し１８０６の制御手段よりこの入力音声状況に対応するデータの存在を１８０５において入力音声状況周波数特性設定ライン傾きのセット記憶を調査し存在すればよびだし、よびだした周波数特性設定ライン傾きを１８０２の音声信号生成手段に送付し音声出力すればよい。
【００６６】
こうすることによってそれぞれの周囲音環境状況の場合の周波数特性設定ラインの調整された傾きを記憶しているので入力音声が既に記憶された周囲音環境状況と近いものがある場合にいちいち調整する必要がなく該当周囲音環境状況とセットで記憶された周波数特性設定ラインの傾きを呼び出して音声信号生成処理手段により音声出力すればよい。
本実施例ではユーザーが音環境によって調整しているが、予め標準の人に合致した音環境によってのハイブースト周波数特性設定ライン、ロー周波数特性設定ラインの傾きを調査し記憶させておき入力音声を分析して該当のハイブースト周波数特性設定ライン、ロー周波数特性設定ラインの傾きをよびだすようにしておいてもよい。
【００６７】
次に本実施例を補聴器に適用した場合について説明するが、その場合の構成例を図１９に示した。ここでの補聴器は１９０１の耳装着装置と１９０４の補聴器リモコン装置にわかれており両者はブルートゥース、ＺｉｇＢｅｅといった近距離通信で結ばれている。１９０１にはリモコン装置１９０４と通信を行なう通信部１９０３と音声出力部１９０２を備えている。
【００６８】
１９０４補聴器リモコン部にははそれぞれ音声入力部１９０６、調整部１９０７、処理部１９０４耳装着装置装置と通信を行なう通信部１９０５を備えおり、調整部で各種調整を行なう。本実施例においては音声入力部は補聴器リモコン部に格納されているが耳装着装置部に格納してもよく、こういった組み合わせは本発明の趣旨に反しない限り自由である。
補聴器リモコン装置の調整部の一例のとして図２０に示したように２００１の「Ｆ」（ファンクションボタン）２００２の「ＵＰ」（アップボタン）、２００３の「ＤＷＮ」（ダウンボタン）の各部を備えており、音量（ボリューム）は「ＵＰ」、「ＤＷＮ」の２つのボタンで調整することが可能である。次に前述で説明した周波数に関わる調整は「Ｆ」ボタンを押しながら「ＵＰ」ボタンを押すことにより周波数特性設定ラインの傾きを大きくすることができ、「Ｆ」ボタンを押しながら「ＤＷＮ」を押すことにより周波数特性設定ラインの傾きを小さくすることができる。図２１にこの「ＵＰ」、「ＤＷＮ」ボタンの使い分け判定のフローを示したが、ここで「Ｆ」ボタンが押されているかどうかの判定を２１０１で行い、押されていれば周波数特性設定ラインの傾きを調整して聴力特性をコントロールへ押されていなければボリュームコントロールを行なっている。
【００６９】
次に携帯電話への適用の例を示すがその構成の１例を図２２に示した。ここで携帯話部機２２０１およびヘッドセット２２０４からなっている。２２０１には電話機音声出力部２２０２およびヘッドセット２２０４と通信する通信部２２０３から構成されている。ヘッドセット２２０４は音声入力部（図示せず）、電話機２２０１と通信を行なう通信部２２０８、周波数特性設定ラインの傾きを調整して聴力特性をコントロールし調整する調整部２２０５、調整部において調整された結果を元に音声信号を処理する処理部２２０６音声出力部２２０７を備えている。
【００７０】
この後変更するすなわちヘッドセット部に調整部を設けておくがその様子を図２３に示した。すなわち２３０１の「Ｆ」（ファンクションボタン）２３０２の「ＵＰ」（アップボタン）、２３０３の「ＤＷＮ」（ダウンボタン）、２３０４の「Ｃ」（騒音カットボタン）の各部を備えており、音量（ボリューム）は「ＵＰ」、「ＤＷＮ」の２つのボタンで調整することが可能である。次に前述で説明した周波数に関わる調整は「Ｆ」ボタンを押しながら「ＵＰ」ボタンを押すことにより周波数特性設定ラインの傾きを大きくすることができ、「Ｆ」ボタンを押しながら「ＤＷＮ」を押すことにより周波数特性設定ラインの傾きを小さくすることができる。そして「Ｃ」を押すことにより騒音の周波数帯域をカットすることができる。
【００７１】
次に騒音カットの方法について説明するが、通話時には周りの環境等によって会話のじゃまな音が混入することが考えられるがこのじゃまな音をカットすることにより相手の人の声をより聞きやすくすることが可能となる。騒音カットの場合の様子を説明するがその様子を図２４に示した。ここで（ａ）は騒音環境カット前の音声の状況を示しており、（ｂ）は騒音環境カット後の状況を示している。すなわちここでは３０Ｈｚから３５０Ｈｚの周波数部分のゲインを２４０２に示すように落とすことによって会話の障害となる騒音をカットしている。本実施例において騒音カットはユーザーの起動によって行なったが、自動で行なってもよい。すなわち特定周波数（ここでは３０Ｈｚ〜３５０Ｈｚ）の大きさを観測しておき一定以上の大きさになったとき自動的にオンとなるように設定しておけばよい。またここでは騒音カットは音声出力のみに適用しているが音声入力部に適用してもよくその場合通話の相手に会話をじゃまする騒音をカットした状態でこちらの音声を送ることが可能となる。
【００７２】
本実施例においては騒音カットは携帯電話の場合を示したがこれに限られるものではなく補聴器の場合でもよい。また本実施例においては調整部、処理部は携帯電話はヘッドセットに格納されているがこれに限られるものではなく例えば携帯電話本体に格納されていてもよい。またここでは携帯電話と通信するヘッドセットとしているがヘッドセットのかわりにマイクとイヤホンを設けておきこれに調整部、処理部を設けておいてもよい。あるいは携帯電話でなくても例えばＩＰ電話、通信回線に接続したパソコン等での通話の場合に適応させてもよくこういった組み合わせは本発明の趣旨に反しない限り自由である。
【００７３】
図２５は本発明の他の実施形態の概略ブロック図である。図２６は入力音声を高周波帯域を強調する場合の周波数帯域によって強調の程度を決めるハイブースト周波数特性設定ラインを示している。図２７は入力音声を低周波数帯域を強調する場合の周波数帯域によって強調の程度を決めるローブースト周波数特性設定ラインを示している。
【００７４】
図２９において入力音声信号を２つに分割し高い周波数を強調する信号処理は２５０２のハイブースト周波数設定ラインを参照して２５０１のハイブースト音声信号処理生成ライン生成手段によりハイブースト音声信号を生成する。低い周波数を強調する信号処理は２５０７のローブースト周波数設定ラインを参照して２５０８のローブースト音声信号処理生成ライン生成手段によりローブースト音声信号を生成する。
【００７５】
次に生成されたハイブースト音声信号は２５１０のハイブースト音声信号倍係数調整手段を参照し２５０９のハイブースト音声信号係数倍手段において音声信号を係数倍にする。ここで係数は０．０１から１０の間の数値をとればよい。同様に生成されたローブースト音声信号は２５１２のハイブースト音声信号倍係数調整手段を参照し２５１１のローブースト音声信号係数倍手段において音声信号を係数倍にする。ここでも同様に係数は０．０１から１０の間の数値をとればよい。
【００７６】
ここで周波数特性設定ラインの調整について説明するが図２５の２５０３のハイブースト中心調整手段により傾の回転中心を調整し、２５０４のハイブースト周波数設定ライン傾き調整手段により傾きの調整を行なうことができる。これは図２６に示したが、ここでは２６０１の１０００Ｈｚに傾き回転の中心を設定した場合を示しておりその時予め設定されているハイブースト周波数設定ラインを２６０２とすると、傾き調整によってそれぞれ２６０３、２６０４とすることができる。同様に２６０５の３０００Ｈｚに傾き回転の中心を設定した場合を示しておりその時予め設定されているハイブースト周波数設定ラインを２６０６とすると、傾き調整によってそれぞれ２６０７、２６０8とすることができる。
上記のハイブースト周波数設定ライン傾き回転の中心を設定する調整は図２５の２５０３のハイブースト中心調整手段で行い、ハイブースト周波数設定ライン傾きは２５０４のハイブースト傾き調整手段で行う。
【００７７】
次に低い周波数特性設定ラインの調整について説明するが図２５の２５０５のローブースト中心調整手段により傾の回転中心を調整し、２５０６のローブースト周波数設定ライン傾き調整手段により傾きの調整を行なうことができる。これは図２７に示したが、ここでは２７０１の４００Ｈｚに傾き回転の中心を設定した場合を示しておりその時予め設定されているローブースト周波数設定ラインを２７０２とすると、傾き調整によってそれぞれ２７０３、２７０４とすることができる。同様に２７０５の８００Ｈｚに傾き回転の中心を設定した場合を示しておりその時予め設定されているハイブースト周波数設定ラインを２７０６とすると、傾き調整によってそれぞれ２７０７、２７０８とすることができる。
上記のローブースト周波数設定ライン傾き回転の中心を設定する調整は図２５の２５０５のハイブースト中心調整手段で行い、ハイブースト周波数設定ライン傾きは２５０６のハイブースト傾き調整手段で行う。
【００７８】
本実施例では周波数設定ラインの傾き回転の中心は図２６、２７のように周波数帯の移動としたがこれに限られるわけではなく、図２８に示めされるように周波数設定ライン上の点を回転中心としてもよい。この場合周波数設定ライン２８０１上の点２８０２を中心として調整設定した場合には傾きはそれぞれ２８０３、２８０４と調整される。同様に周波数設定ライン２８０１上の点２８０６を中心として調整設定した場合には傾きはそれぞれ２８０７、２８０８と調整される。
【００７９】
さらに詳しく説明していくが、図２９は上述のフローを示した図であり、まず必用に応じて２９０１において音声入力をＡＤ変換（アナログ−デジタル変換）する。次にデジタル音声を２９０２において２分割する。この２分割したデジタル音声信号を高い周波数の強調は２９０５のハイブースト周波数特性設定ラインを参照して２９０３のハイブースト音声信号生成を行ない、低い周波数の強調は２９０６のローブースト周波数特性設定ラインを参照して２９０５においてローブースト音声信号生成を行なう。
ここでゲインの調整は各周波数帯域に分割し行ない、デジタル音声信号のゲインは設定されているハイブースト・ローブースト周波数特性設定ラインに基づいてプラスあるいはマイナスすればよい。その様子は前述の実施例で示したとおりである。
【００８０】
次に生成したそれぞれ高い周波数を強調したハイブースト音声信号に２９０９のハイブースト音声信号倍係数を参照して２９０７のハイブースト音声信号係数倍の音声信号を生成する。同様に高い周波数を強調したローブースト音声信号に２９１０のローブースト音声信号倍係数を参照して２９０８のハイブースト音声信号係数倍の音声信号を生成する。２９１１のハイブースト係数倍音声信号とローブースト係数倍音声信号とを合成し必要に応じて２９１２においてＤＡ変換し音声として出力すればよい。
【００８１】
次に周囲の音環境状況が近い場合いちいち調整しなくても済む方法について説明するが、概略ブロック図を図３０に示した。ここで入力音声は３００１の入力音声分析手段により周波数分析された入力音声状況を制御手段３０１０を通じて３００８の入力音声状況ハイ・ロー周波数特性設定ライン中心、傾き音声信号倍係数記憶手段傾き記憶手段に記憶される。またこの時ユーザーはハイブースト周波数特性設定ライン、ローハイブースト周波数特性設定ラインの中心傾きを基にしてハイ・ロー音声信号生成を生成し音声信号倍係数を参照してそれぞれハイ・ロー音声信号係数倍し合成して音声出力を行っている。
【００８２】
ユーザーはこの出力音声を聞きながら３００３のユーザーインターフェースを通じて３００２のハイ・ロー周波数特性設定ライン調整手段、ハイ・ローブースト音声信号倍係数調整手段によりハイ・ロー周波数特性ラインおよびハイ・ローブースト音声信号倍係数を調整している。３００２の３００４はハイブースト周波数設定ラインの調整手段である。ここでは複雑になるためハイブースト周波数設定ラインの中心設定調整と傾きの調整を同じ枠で記述しているが別の機能である。同様に３００２の３００５はローブースト周波数設定ラインの調整手段である。ここでは複雑になるためハイブースト周波数設定ラインの中心設定調整と傾きの調整を同じ枠で記述しているが別の機能である。３００２の３０００６はハイブースト音声信号の倍係数の調整手段であり３００２の３００７はローブースト音声信号の倍係数の調整手段である。
【００８３】
３００２のハイ・ロー周波数特性設定ライン調整手段、ハイ・ローブースト音声信号倍係数調整手段によって調整された情報を３０１０の制御手段により先ほどの３００１の入力音声分析手段により周波数分析された入力音声状況とセットで３００８の入力音声状況ハイ・ロー周波数特性設定ライン中心、傾き音声信号倍係数記憶手段傾き記憶手段に記憶される。
【００８４】
入力音声状況ハイ・ロー周波数特性設定ライン中心、傾き音声信号倍係数記憶手段傾き記憶手段に記憶される様子を図３１にフローで示した。音声入力は３１０１の入力音声分析において周波数分析され入力音声状況として出力される。またユーザーは３１０２のハイ・ロー音声信号生成処理において生成された音声出力を聞きながら３１０４のユーザーインターフェースを通じて３１０３のハイ・ロー周波数特性設定ライン調整においてハイブースト周波数特性設定ライン、ローハイブースト周波数特性設定ラインの調整された傾きの回転中心と傾きを、同様に３１０４のユーザーインターフェースを通じて３１０５のハイブースト音声信号倍係数、ローブースト音声信号倍係数を３１０６の制御手段を通じて先ほどの３１０１の音声状況出力とセットで３１０７の入力音声状況ハイ・ロー周波数特性設定ライン中心、傾き音声信号倍係数記憶手段に記憶される。
【００８５】
次に周囲音環境状況によって最適の入力音声状況ハイ・ロー周波数特性設定ライン中心、傾き音声信号倍係数記憶手段傾き記憶手段に記憶からハイブースト周波数特性設定ライン、ローハイブースト周波数特性設定ラインの傾き中心と傾き、ハイ・ロー音声信号倍係数をよびだし該当周囲音環境状況に適合した音声出力する方法について述べる。
【００８６】
音声入力は図３０、３００１の入力音声分析手段において周波数分析され入力音声状況を把握し、制御手段３０１０のより３００８の入力音声状況ハイ・ロー周波数特性設定ライン中心、傾き音声信号倍係数記憶手段に該当音声状況のセットが記憶されているかどうか調べ、存在していればよびだし３００９のハイ・ロー音声信号生成合成手段に送り音声出力する。この入力音声状況ハイ・ロー周波数特性設定ライン中心、傾き音声信号倍係数記憶手段は学習機能を設けておけばユーザーが調整機能を使えば使うほどユーザーに合った音環境による調整が自動的に行われる。
【００８７】
この場合ユーザーが自動的によびだした調整に不満がある場合がある可能性があるのでそういった場合の説明を行う。その場合はユーザーは３００３のユーザーインターフェースを通じて３００２の調整手段により調整行っているので３０１０の制御手段においてこの調整の有無を監視し、調整があった場合は３００８入力音声状況ハイ・ロー周波数特性設定ライン中心、傾き音声信号倍係数記憶手段を参照せずに直接調整した３００２の調整手段より調整したハイブースト、ローハイブースト音声信号生成処理合成手段により音声出力すればよい。
【００８８】
この様子を図３２のフローに示したが、３２０６の制御手段においてはユーザーが３２０３のユーザーインターフェースを通じて３２０２のハイ・ロー周波数特性設定ライン、３２０４のハイ・ロー音声信号倍係数調整が行われているかどうか監視し調整が行われている場合には３２０２、３２０４の調整手段でで調整された情報を参照し３２０６で制御を行い３２０７のハイロー音声信号生成処理合成手段により音声出力する。
【００８９】
３２０６の制御手段の監視下で３２０２、３２０４において調整が行われていない場合には３２０１で入力音声を周波数分析し入力音声状況を把握し３２０６の制御手段よりこの入力音声状況に対応するデータの存在を３２０５の入力音声状況ハイ・ロー周波数特性設定ライン中心、傾き音声信号倍係数記憶手段を調査し存在すればよびだし、よびだした結果を３２０７のハイロー音声信号生成処理合成手段により音声出力する。
【００９０】
こうすることによってそれぞれの周囲音環境状況の場合の入力音声状況ハイ・ロー周波数特性設定ライン中心、傾き音声信号倍係数記憶手段を記憶しているので入力音声が既に記憶された周囲音環境状況と近いものがある場合にいちいち調整する必要がなく該当周囲音環境状況とセットで記憶された入力音声状況ハイ・ロー周波数特性設定ライン中心、傾き音声信号倍係数記憶手段を呼び出してハイ・ロー音声信号生成処理手段により音声出力すればよい。
【００９１】
本実施例ではユーザーが音環境によって調整しているが、予め標準の人に合致した音環境によってのハイブースト周波数特性設定ライン、ロー周波数特性設定ラインの傾きを調査し記憶させておき入力音声を分析して該当のハイブースト周波数特性設定ライン、ロー周波数特性設定ラインの傾きをよびだすようにしておいてもよい。
【００９２】
次に周波数特性設定ラインが1本の場合について説明するが、図３３は本発明の他の実施形態の概略ブロック図である。図３４は入力音声を周波数帯域によって強調の程度を決めるハイブースト周波数特性設定ラインを示している。図３３において入力音声信号の信号処理は３３０２の周波数設定ラインを参照して３３０１のハイブースト音声信号処理生成ライン生成手段により音声信号を生成する。図３４に周波数特性設定ラインの例を示したが、ここで３４０１、３４０５は周波数設定ライン上の点を回転中心の例であり、図３３の３３０３の周波数設定ラインの傾き回転調整手段において調整される。傾きに調整は図３４の３４０１を中心とした時３４０２の周波数設定ラインは傾きを大きくした場合３４０３となり傾きを小さくした場合３４０４となり、３４０５を中心とした時３４０６の周波数設定ラインは傾きを大きくした場合３４０７となり傾きを小さくした場合３４０８となる。これは図３３の３３０４の周波数設定ライン傾き調整手段において調整される。
【００９３】
さらに詳しく説明していくが、図３５に上述のフローを示した図であり、まず必用に応じて３５０１において音声入力をＡＤ変換（アナログ−デジタル変換）する。次にデジタル音声を３５０３の周波数特性設定ラインを参照して３５０２のハイブースト音声信号生成を行ないう。ここでゲインの調整は各周波数帯域に分割し行ない、デジタル音声信号のゲインは設定されている周波数特性設定ラインに基づいてプラスあるいはマイナスすればよい。その様子はここでも前述の実施例で示したとおりである。そして必要に応じて３５０４においてＤＡ変換し音声として出力すればよい。
【００９４】
前述の実施例では周波数設定ラインは説明のため直線であったがこれに限られるものではなく必要に応じて直線に限られるものではなく曲線でもよい。
【図面の簡単な説明】
【００９５】
【図１】実施例の1形態の概略ブロック図
【図２】周波数特性設定ライン
【図３】実施例のフロチャート
【図４】周囲音環境状況に対応した調整よびだしのブロック図
【図５】ユーザーの音環境による調整状態の記憶のフロー
【図６】周囲音環境状況に対応した調整状況のよびだしフロー
【図７】補聴器の場合の適応形態
【図８】コントロールボタン例
【図９】コントロールボタンの選択
【図１０】携帯電話の場合の適応形態
【図１１】携帯電話の場合のコントロール入力
【図１２】騒音環境の場合のゲインコントロール
【図１３】他の実施例形態の概略ブロック図
【図１４】周波数特性設定ライン
【図１５】実施例のフロチャート
【図１６】補聴器の場合の適応形態
【図１７】コントロールボタン例
【図１８】コントロールボタンの選択
【図１９】携帯電話の場合の適応形態
【図２０】携帯電話の場合のコントロール入力
【図２１】騒音環境の場合のゲインコントロール
【図２２】周囲音環境状況に対応した調整よびだしのブロック図
【図２３】ユーザーの音環境による調整状態の記憶のフロー
【図２４】周囲音環境状況に対応した調整状況のよびだしフロー
【図２５】複数の調整機構を持つ実施例の概略ブロック図
【図２６】ハイブースト周波数特性設定ラインの調整
【図２７】ローブースト周波数特性設定ラインの調整
【図２８】ローブースト周波数特性設定ラインの他の調整
【図２９】複数の調整機構を持つ実施例のフロチャート
【図３０】周囲音環境状況に対応した調整よびだしのブロック図
【図３１】ユーザーの音環境による調整状態の記憶のフロー
【図３２】ユーザーの音環境による調整状態の記憶呼び出しフロー
【図３３】周波数設定ライン１本の場合実施例の概略ブロック図
【図３４】周波数特性設定ラインの調整
【図３５】周波数設定ライン１本の場合の実施例のフロチャート
【図１】
2008042787.tif 000003
【図２】
2008042787.tif 000004
【図３】
2008042787.tif 000005
【図４】
2008042787.tif 000006
【図５】
2008042787.tif 000007
【図６】
2008042787.tif 000008
【図７】
2008042787.tif 000009
【図８】
2008042787.tif 000010
【図９】
2008042787.tif 000011
【図１０】
2008042787.tif 000012
【図１１】
2008042787.tif 000013
【図１２】
2008042787.tif 000014
【図１３】
2008042787.tif 000015
【図１４】
2008042787.tif 000016
【図１５】
2008042787.tif 000017
【図１６】
2008042787.tif 000018
【図１７】
2008042787.tif 000019
【図１８】
2008042787.tif 000020
【図１９】
2008042787.tif 000021
【図２０】
2008042787.tif 000022
【図２１】
2008042787.tif 000023
【図２２】
2008042787.tif 000024
【図２３】
2008042787.tif 000025
【図２４】
2008042787.tif 000026
【図２５】
2008042787.tif 000027
【図２６】
2008042787.tif 000028
【図２７】
2008042787.tif 000029
【図２８】
2008042787.tif 000030
【図２９】
2008042787.tif 000031
【図３０】
2008042787.tif 000032
【図３１】
2008042787.tif 000033
【図３２】
2008042787.tif 000034
【図３３】
2008042787.tif 000035
【図３４】
2008042787.tif 000036
【図３５】
2008042787.tif 000037